(57)【要約】【課題】簡単な構造で熱風の流れを整流することができ、均一に被調理物を加熱することができ、良好な加熱調理効率を有する加熱調理器を提供する。【解決手段】オーブンレンジ１は、箱状をなし、正面側に開口部が設けられた加熱室３を有する調理器本体２と、開口部を開閉する扉部４、並びに該扉部４に連設された２枚の側板部５１、底板部５３、及び背板部５２を含む内箱部５を有し、正面側に移動可能であり、被調理物９を収納する収納体１０と、熱風を生成する熱風生成部８とを備える。熱風生成部８は加熱室３の後壁３１の外側に設けられており、後壁３１における背板部５２より高い位置に、熱風を吹き出す吹出口３１ａが設けられている。【選択図】図３
2016050699.tif 000002
【特許請求の範囲】
【請求項１】
箱状をなし、正面側に開口部が設けられた加熱室を有する調理器本体と、前記開口部を開閉する扉、並びに該扉に連設された２枚の側板部、底板部、及び背板部を含む内箱を有し、正面側に移動可能であり、被調理物を収納する収納体と、熱風を生成する熱風生成部とを備える加熱調理器において、
前記熱風生成部は、前記加熱室の後壁の外側に設けてあり、
前記後壁における前記収納体の背板部より高い位置に、前記熱風を吹き出す吹出口が設けられていることを特徴とする加熱調理器。
【請求項２】
前記背板部の上端と、前記吹出口の下側部分とを橋絡して、前記熱風を前記収納体内へ導入する導入板部を備えることを特徴とする請求項１に記載の加熱調理器。
【請求項３】
箱状をなし、正面側に開口部が設けられた加熱室を有する調理器本体と、前記開口部を開閉する扉、並びに該扉に連設された２枚の側板部、底板部、及び背板部を含む内箱を有し、正面側に移動可能であり、被調理物を収納する収納体と、熱風を生成する熱風生成部とを備える加熱調理器において、
前記熱風生成部は前記加熱室の外側に設けてあり、
前記加熱室の壁面に、前記熱風を吹き出す吹出口が設けられ、
前記吹出口に対向する位置に、前記収納体の側板部の外側に前記熱風を案内する案内部が設けられていることを特徴とする加熱調理器。
【請求項４】
前記収納体の側板部の前記扉側に、又は前記収納体の底板部に、前記熱風を吹き出す吹出口が設けられていることを特徴とする請求項３に記載の加熱調理器。
【請求項５】
前記熱風生成部は、前記加熱室の上壁の外側に設けてあり、
前記上壁に前記吹出口が設けられていることを特徴とする請求項３又は４に記載の加熱調理器。
【発明の詳細な説明】
【技術分野】
【０００１】
本発明は、箱状をなし、正面側に開口部を有する調理器本体と、開口部を開閉する扉及び内箱を有し、正面側に移動可能であり、被調理物を収納する収納体と、熱風を生成する熱風生成部とを備える加熱調理器に関する。
【背景技術】
【０００２】
加熱調理器として、被調理物を収納する内箱に開閉扉が一体化された収納体を調理器本体からスライドさせ、被調理物を加熱室から出し入れするように構成されたものが知られている。
【０００３】
特許文献１には、加熱室内における被調理物の加熱機能として、被調理物に向かってマイクロ波を照射するマイクロ波加熱機能と、送風ファン、上面ダクト及び側面ダクトを含んでなる高速熱風加熱機能とを組み込み、複合加熱調理を可能とした加熱調理器の発明が開示されている。この加熱調理器においては、加熱室の底面に回転テーブルを備え、導波管を加熱室の側面部の空間に配することによって、上面ダクトを天井部構造に配置することが可能になり、高速熱風加熱調理機能を調理器本体内に組込んでいる。
【先行技術文献】
【特許文献】
【０００４】
【特許文献１】特開２０１０−１３３６３４号公報
【発明の概要】
【発明が解決しようとする課題】
【０００５】
上述の特許文献１の加熱調理器においては、上面ダクトに設けられた吹出口から熱風が下方に噴出され、加熱室の左側面の中央部に設けられた側面ダクトの吹出口から右側面に向けて熱風が噴出される。両吹出口から吹き出した熱風は合流した上で、加熱室の背面の右下隅部に設けられた吸気開口部を通じて送風ファンの吸込口に至り、循環気流が形成される。
【０００６】
この特許文献１の加熱調理器においては、上述したように、加熱室の左側面の吹出口から背面の右下隅部の吸気開口部に向けて熱風が流れるように構成されているので、被調理物の前側右下部及び後ろ側左下部には熱風が当たりにくく、加熱むらが生じる可能性がある。従って、回転テーブルにより被調理物を回転させて、加熱むらの発生を防止する必要がある。
【０００７】
本発明は斯かる事情に鑑みてなされたものであり、簡単な構造で熱風の流れを整流することができ、均一に被調理物を加熱することができ、良好な加熱調理効率を有する加熱調理器を提供することを目的とする。
【課題を解決するための手段】
【０００８】
本発明に係る加熱調理器は、箱状をなし、正面側に開口部が設けられた加熱室を有する調理器本体と、前記開口部を開閉する扉、並びに該扉に連設された２枚の側板部、底板部、及び背板部を含む内箱を有し、正面側に移動可能であり、被調理物を収納する収納体と、熱風を生成する熱風生成部とを備える加熱調理器において、前記熱風生成部は、前記加熱室の後壁の外側に設けてあり、前記後壁における前記収納体の背板部より高い位置に、前記熱風を吹き出す吹出口が設けられていることを特徴とする。
【０００９】
本発明に係る加熱調理器は、前記背板部の上端と、前記吹出口の下側部分とを橋絡して、前記熱風を前記収納体内へ導入する導入板部を備えることを特徴とする。
【００１０】
本発明に係る加熱調理器は、箱状をなし、正面側に開口部が設けられた加熱室を有する調理器本体と、前記開口部を開閉する扉、並びに該扉に連設された２枚の側板部、底板部、及び背板部を含む内箱を有し、正面側に移動可能であり、被調理物を収納する収納体と、熱風を生成する熱風生成部とを備える加熱調理器において、前記熱風生成部は前記加熱室の外側に設けてあり、前記加熱室の壁面に、前記熱風を吹き出す吹出口が設けられ、前記吹出口に対向する位置に、前記収納体の側板部の外側に前記熱風を案内する案内部が設けられていることを特徴とする。
【００１１】
本発明に係る加熱調理器は、前記収納体の側板部の前記扉側に、又は前記収納体の底板部に、前記熱風を吹き出す吹出口が設けられていることを特徴とする。
【００１２】
本発明に係る加熱調理器は、前記熱風生成部は、前記加熱室の上壁の外側に設けてあり、前記上壁に前記吹出口が設けられていることを特徴とする。
【発明の効果】
【００１３】
本発明によれば、加熱室の後壁における収納体の背板部より高い位置に、熱風を吹き出す吹出口が設けられているので、熱風生成部により生じた熱風は吹出口から吹き出し、収納体の背板部の端縁部の上側から収納体の内側へ導入されて後方から前方に被調理物に吹き付け、送風ファンの吸込口に至る。
従って、簡単な構造で熱風を整流することができ、均一に被調理物を加熱することができ、加熱調理効率が良好である。
そして、被調理物の材質、形状、重量、調理の種類等に対応して、送風ファンの回転数及び回転方向を変えることで、被調理物に当たる熱風の風量及び位置を変え、調理時間及び加熱の度合い等を調整することも可能である。
【図面の簡単な説明】
【００１４】
【図１】本発明の実施の形態１に係る加熱調理器としてのオーブンレンジの斜視図である。
【図２】本発明の実施の形態１に係るオーブンレンジの収納体を引き出した状態を示す模式的側面断面図である。
【図３】本発明の実施の形態１に係るオーブンレンジの内箱を収納した状態を示す模式的側面断面図である。
【図４】本発明の実施の形態２に係るオーブンレンジを示す模式的側面断面図である。
【図５】本発明の実施の形態３に係るオーブンレンジを示す模式的正面図である。
【図６】本発明の実施の形態３に係るオーブンレンジを示す模式的平面断面図である。
【図７】本発明の実施の形態４に係るオーブンレンジを示す模式的正面断面図である。
【図８】本発明の実施の形態５に係るオーブンレンジを示す模式的正面断面図である。
【発明を実施するための形態】
【００１５】
以下、本発明をその実施の形態を示す図面に基づいて具体的に説明する。
実施の形態１．
図１は本発明の実施の形態１に係る加熱調理器としてのオーブンレンジ１の斜視図、図２はオーブンレンジ１の収納体１０を引き出した状態を示す模式的側面断面図、図３はオーブンレンジ１の内箱５を収納した状態を示す模式的側面断面図である。図３中、マイクロ波照射部７、及び加熱室３の右側の側壁３２は省略している。
【００１６】
オーブンレンジ１は、調理器本体２、扉部４及び内箱部５を有する収納体１０、マイクロ波照射部７、並びに熱風生成部８を備える。
調理器本体２は箱状をなし、正面側に開口部を有する。開口部の上縁部には、パネル部２１が設けられている。パネル部２１は、ユーザがオーブンレンジ１を操作するための各種のキーを有する操作部、及びユーザに通知する各種の情報を表示する表示部を有する。調理器本体２の内側は、例えば塊肉等の被調理物９を収容して加熱する加熱室３となっている。
【００１７】
収納体１０の扉部４は矩形板状をなし、調理器本体２の開口部を開閉するように構成されている。
扉部４は、把手４１、及び窓部４３を備える。把手４１は扉部４の本体の上寄りに設けられ、横方向に延びる棒状の握り部を有する。窓部４３は扉部４の中央部に備えられ、加熱室３内を覗くことができるように構成されている。
【００１８】
内箱部５は、２枚の側板部５１，５１、背板部５２、及び底板部５３を備える。背板部５２の上端縁部には、後方に向かって高さが高くなるように傾斜した導入板部５４が設けられている。底板部５３には、被調理物９を載置する載置台５５が配置される。載置台５５は、例えば金属製で網状をなす矩形板の四隅に脚部を設けてなる。
【００１９】
スライド部６は、固定レール６１及び可動レール６２を２対備える。２対の固定レール６１及び可動レール６２は、加熱室３の両側壁と調理器本体２の両側板部との間の下部に設けられている。可動レール６２，６２は板状をなし、扉部４の背面の両側の下部に取り付けられており、固定レール６１，６１も板状をなし、調理器本体２側に取り付けられている。可動レール６２は固定レール６１に内嵌され、固定レール６１に、前後方向に摺動可能に支持されている。
【００２０】
内箱部５の底板部５３の下面の中央部には、その長手方向を前後方向に一致させてラックギア（不図示）が設けられ、調理器本体２にはピニオンギア（不図示）が軸支され、ラックアンドピニオン構造が構成されている。ピニオンギアにはモータ（不図示）が連結され、ユーザの前記操作部による操作により、収納体１０が自動的に進退するように構成されている。収納体１０の進退は手動でも行うことができる。
【００２１】
ユーザが前記操作部により内箱部５の引き出しを指示した場合、又は扉部４の把手４１を握って手前に引っ張った場合、可動レール６２が固定レール６１内を前側に摺動し、ラックギアが前側に移動して、収納体１０が引き出される。そして、ユーザが前記操作部により内箱部５の収納を指示した場合、又はユーザが把手４１を奥側へ押した場合、可動レール６２が固定レール６１内を後ろ側に摺動し、ラックギアが後ろ側に移動して、内箱部５が加熱室３内に収容され、扉部４が調理器本体２の開口部を閉塞する。
【００２２】
図１における加熱室３の右側壁と調理器本体２の右側板部との間には、マイクロ波照射部７が内蔵されている。
マイクロ波照射部７は、マグネトロン７１、導波管７２、高圧トランス７３、高圧コンデンサ７４、及び冷却ファン７５を備える。
高圧トランス７３及び高圧コンデンサ７４を含む電源部によりマグネトロン７１に電力が供給され、マグネトロン７１はマイクロ波を発生させる。発生したマイクロ波は導波管７２内を伝播され、加熱室３の右側壁から加熱室３内に照射される。冷却ファン７５は電源部に送風して電源部を冷却する。
【００２３】
加熱室３の後壁３１と調理器本体２の背板部との間には、コンベクション加熱等の熱風加熱を行うための熱風生成部８が内蔵されている。
熱風生成部８は、複数のヒータ８１、及び例えば遠心送風ファン等の送風ファン８２を備える。
加熱室３の後壁３１には、内箱部５が加熱室３内に収容されたときに、導入板部５４の上端縁部より上側で、かつ送風ファン８２の幅方向（図１の左右方向）両側に対応する位置に、複数の吹出口３１ａが設けられている。
【００２４】
以上のように構成されたオーブンレンジ１においては、ユーザの操作により収納体１０を進出させて、被調理物９を載置した載置台５５を底板部５３に配置した後、扉部４を閉じて収納体１０を後退させ、内箱部５を加熱室３内に収容する。そして、ヒータ８１に通電して、送風ファン８２を所定の回転数で回転させる。
これにより生じた熱風は吹出口３１ａから吹き出し、導入板部５４によって斜め下方に案内され、内箱部５の内部に導入されて被調理物９を前後方向に沿って後方から前方へ吹き付けた後、例えば底板部５３及び加熱室３の底壁の前側部分を貫通する吸気開口部（不図示）を通じて、送風ファン８２の吸込口に至る。
【００２５】
本実施の形態においては、簡単な構造で、吹出口３１ａから吹き出した熱風が整流され、均一に、効率良く被調理物９に熱風を当てることができ、加熱調理効率が良好である。
被調理物９の材質、形状、重量、調理の種類等に対応して、送風ファン８２の回転数及び回転方向を変えることで、被調理物９に当たる熱風の風量及び位置を変え、調理時間及び加熱の度合い等を調整することも可能である。
また、導入板部５４を傾斜角度を変更可能に構成した場合、傾斜角度を変えることで、被調理物９に当たる熱風の風量及び位置を変えることも可能である。
【００２６】
なお、マイクロ波照射部７は加熱室３の右側壁と調理器本体２の右側板部との間に内蔵されている場合に限定されるものではなく、加熱室３の上板部と調理器本体２の上板部との間に内蔵することにしてもよい。
【００２７】
実施の形態２．
本発明の実施の形態２に係るオーブンレンジ１１は、内箱部５の構成が異なること以外は、実施の形態１に係るオーブンレンジ１と同様の構成を有する。
図４は、本発明の実施の形態２に係るオーブンレンジ１１を示す模式的側面断面図である。図中、図２及び図３と同一部分は同一符号を付して詳細な説明を省略する。
【００２８】
本実施の形態に係るオーブンレンジ１１の内箱部５の背板部５２は、上端縁部が加熱室３の後壁３１に向かうように傾斜している。また、内箱部５は、前側に前板部５６を備える。
【００２９】
以上のように構成されたオーブンレンジにおいては、ヒータ８１に通電し、送風ファン８２を所定の回転数で回転させて生じた熱風が吹出口３１ａから吹き出し、背板部５２により斜め下方に案内され、内箱部５の内部に導入されて前後方向に沿って被調理物９に吹き付ける。熱風は前板部５６に当たって向きを変え、底板部５３及び加熱室３の底壁の前側部分に設けられた吸気開口部を通じて送風ファン８２の吸込口に至る。
【００３０】
本実施の形態においては、以上のように構成されているので、吹出口３１ａから吹き出した熱風が整流され、均一に、効率良く被調理物９に熱風を当てることができ、加熱調理効率が良好である。
【００３１】
実施の形態３．
本発明の実施の形態３に係るオーブンレンジ１２は、内箱部５の構成が異なること以外は、実施の形態１に係るオーブンレンジ１と同様の構成を有する。
図５は、本発明の実施の形態３に係るオーブンレンジ１２を示す模式的正面図、図６はオーブンレンジ１２を示す模式的平面断面図である。図中、図２及び図３と同一部分は同一符号を付して詳細な説明を省略する。また、図５中、扉部４は省略している。
【００３２】
本実施の形態に係るオーブンレンジ１２においては、内箱部５の両側板部５１の上端縁部に、加熱室３の側壁３２側に横方向に張り出した案内板部５８，５８が設けられている。
そして、側板部５１，５１の扉部４側の下部の、載置台５５の載置位置に対応する部分には、複数の吹出口５１ａが設けられている。
【００３３】
加熱室３の後壁３１と調理器本体２の背板部との間には、オーブンレンジ１及び１１と同様に、熱風生成部８が内蔵されている。
熱風生成部８は、複数のヒータ８１、及び送風ファン８２を備える。
加熱室３の後壁３１には、背板部５２の上端縁部より上側で、かつ送風ファン８２の幅方向両側に対応する位置に、複数の吹出口３１ａが設けられ、端部寄りで案内板部５８より下側に対応する位置に、複数の吹出口３１ｂが設けられている。
【００３４】
以上のように構成されたオーブンレンジ１２においては、ヒータ８１に通電し、送風ファン８２を所定の回転数で回転させて生じた熱風は吹出口３１ａから吹き出し、背板部５２の上側から内箱部５の内部に導入され、後ろ側から前側へ被調理物９に吹き付ける。
また、吹出口３１ｂから吹き出した熱風は、案内板部５８、側板部５１、加熱室３の底壁３３、及び側壁３２から形成される空間である案内部３５を後ろ側から前側へ通流し、吹出口５１ａを通って、前側底部から被調理物９に吹き付ける。
熱風は合流して、吸気開口部を通じて、送風ファン８２の吸込口に至る。
従って、熱風が整流され、均一に、効率良く被調理物９に当てられ、加熱調理効率が良好である。
【００３５】
なお、背板部５２には、オーブンレンジ１のように、後方に向かって高さが高くなるように傾斜する導入板部５４を設けてもよく、オーブンレンジ１１のように、背板部５２の上端縁部が加熱室３の後壁３１に向かうように傾斜させることにしてもよい。
また、側板部５１に吹出口５１ａを設ける代わりに、底板部５３の幅方向の中央部の、載置台５５の載置位置の前側に対応する部分に吹出口を設けることにしてもよい。
【００３６】
実施の形態４．
本発明の実施の形態４に係るオーブンレンジ１３は、熱風生成部８を上部に備えること、及び内箱部５の構成が異なること以外は、実施の形態１に係るオーブンレンジ１と同様の構成を有する。
【００３７】
図７は、本発明の実施の形態４に係るオーブンレンジ１３を示す模式的正面断面図である。図中、図２及び図３と同一部分は同一符号を付して詳細な説明を省略する。
加熱室３の上壁３４と調理器本体２の上板部との間に熱風生成部８が設けられている。上壁３４の、送風ファン８２の幅方向（図７の左右方向）の両側に対応する部分には複数の吹出口３４ａが設けられ、側壁３２寄りの部分には複数の吹出口３４ｂが設けられている。
【００３８】
内箱部５の側板部５１，５１は、オーブンレンジ１、１１、及び１２の側板部５１と比較して、高さを高くしてある。また、側板部５１，５１の扉部４側の下部の、載置台５５の載置位置の前側に対応する部分には、複数の吹出口５１ａが設けられている。
【００３９】
以上のように構成されたオーブンレンジ１３においては、ヒータ８１に通電し、送風ファン８２を所定の回転数で回転させて生じた熱風は吹出口３４ａから吹き出し、上側から被調理物９に吹き付ける。
また、吹出口３４ｂから吹き出した熱風は、側板部５１、加熱室３の上壁３４、側壁３２、及び底壁３３から形成される空間である案内部３５を通流し、吹出口５１ａを通り、さらに載置台５５の脚部の間を通って、矩形板の網目から被調理物９の下部に吹き付ける。
熱風は合流して、背板部５２の下部に設けられた吸気開口部５２ａを通じて、送風ファン８２の吸込口に至る。
従って、被調理物９の下部の直接の加熱が可能となり、熱風が整流され、均一に、効率良く被調理物９に当てられ、加熱調理効率が良好である。
【００４０】
なお、加熱室３の上壁３４の下側に熱風生成部８を設け、熱風生成部８と内箱部５の開口部との間に、吹出口を有する板部を設けることにしてもよい。
また、吹出口３４ａは設けないことにしてもよい。
【００４１】
実施の形態５．
本発明の実施の形態５に係るオーブンレンジ１４は、内箱部５の構成が異なること以外は、実施の形態４に係るオーブンレンジ１３と同様の構成を有する。
【００４２】
図８は、本発明の実施の形態５に係るオーブンレンジ１４を示す模式的正面断面図である。図中、図７と同一部分は同一符号を付して詳細な説明を省略する。
加熱室３の上壁３４と調理器本体２の上板部との間に熱風生成部８が設けられている。上壁３４の、送風ファン８２の幅方向（図８の左右方向）の両側に対応する部分には複数の吹出口３４ａが設けられ、側壁３２寄りの部分には複数の吹出口３４ｂが設けられている。
内箱部５の底板部５３の幅方向の中央部の、載置台５５の載置位置の前側に対応する部分には、複数の吹出口５３ａが設けられている。
【００４３】
以上のように構成されたオーブンレンジ１４においては、ヒータ８１に通電し、送風ファン８２を所定の回転数で回転させて生じた熱風は吹出口３４ａから吹き出し、上側から被調理物９に吹き付ける。
また、吹出口３４ｂから吹き出した熱風は、側板部５１、加熱室３の上壁３４、側壁３２、及び底壁３３から形成される空間である案内部３５を通流し、吹出口５３ａを通り、矩形板の網目から被調理物９の下部に吹き付ける。
従って、被調理物９の下部の直接の加熱が可能となり、熱風が効率良く被調理物９に当てられ、加熱調理効率が良好である。
【００４４】
以上のように、本発明に係る加熱調理器（１、１１）は、箱状をなし、正面側に開口部が設けられた加熱室（３）を有する調理器本体（２）と、前記開口部を開閉する扉（４）、並びに該扉に連設された２枚の側板部（５１）、底板部（５３）、及び背板部（５２）を含む内箱（５）を有し、正面側に移動可能であり、被調理物（９）を収納する収納体（１０）と、熱風を生成する熱風生成部（８）とを備える加熱調理器において、前記熱風生成部は、前記加熱室の後壁（３１）の外側に設けてあり、前記後壁における前記収納体の背板部より高い位置に、前記熱風を吹き出す吹出口（３１ａ）が設けられていることを特徴とする。
【００４５】
本発明においては、熱風生成部により生じた熱風は吹出口から吹き出し、収納体の背板部の端縁部の上側から収納体の内側へ導入されて後方から前方へ被調理物に吹き付けた後、熱風生成部の吸込口に至る。
従って、簡単な構造で熱風を整流することができ、均一に、効率良く被調理物を加熱することができる。
そして、被調理物の材質、形状、重量、調理の種類等に対応して、送風ファンの回転数及び回転方向を変えることで、被調理物に当たる熱風の風量及び位置を変え、調理時間及び加熱の度合い等を調整することも可能である。
【００４６】
本発明に係る加熱調理器（１）は、前記背板部の上端と、前記吹出口の下側部分とを橋絡して、前記熱風を前記収納体内へ導入する導入板部（５４）を備えることを特徴とする。
【００４７】
本発明においては、熱風生成部により生じた熱風は吹出口から吹き出し、導入板部によって斜め下方に案内され、収納体の内部に導入されて被調理物に吹き付け、被調理物が加熱される。
従って、簡単な構造で熱風を整流することができ、均一に被調理物を加熱することができ、加熱調理効率が良好である。
そして、導入板部を傾斜角度を変更可能に構成した場合、該傾斜角度を変えることで、風量及び被調理物に熱風を当てる位置を容易に変えることができる。
【００４８】
本発明に係る加熱調理器（１２、１３、１４）は、箱状をなし、正面側に開口部が設けられた加熱室（３）を有する調理器本体（２）と、前記開口部を開閉する扉（４）、並びに該扉に連設された２枚の側板部（５１）、底板部（５３）、及び背板部（５２）を含む内箱（４）を有し、正面側に移動可能であり、被調理物（９）を収納する収納体（１０）と、熱風を生成する熱風生成部（８）とを備える加熱調理器において、前記熱風生成部は前記加熱室の外側に設けてあり、前記加熱室の壁面（３１、３４）に、前記熱風を吹き出す吹出口（３１ａ、３１ｂ、３４ａ、３４ｂ）が設けられ、前記吹出口に対向する位置に、前記収納体の側板部の外側に前記熱風を案内する案内部（３５）が設けられていることを特徴とする。
【００４９】
本発明においては、熱風生成部により生じた熱風は吹出口（３１ａ、３４ａ）から吹き出し、上側から収納体に導入され、被調理物に吹き付ける。
また、吹出口（３１ｂ、３４ｂ）から吹き出した熱風は、案内部を通流し、前側底部から被調理物に吹き付ける。
従って、簡単な構造で熱風が整流することができ、均一に被調理物を加熱することができ、加熱調理効率が良好である。
そして、被調理物の材質、形状、重量、調理の種類等に対応して、送風ファンの回転数及び回転方向を変えることで、被調理物に当たる熱風の風量及び位置を変え、調理時間及び加熱の度合い等を調整することも可能である。
【００５０】
本発明に係る加熱調理器（１２、１３、１４）は、前記収納体の側板部の前記扉側に、又は前記収納体の底板部に、前記熱風を吹き出す吹出口（５１ａ）が設けられていることを特徴とする。
【００５１】
本発明においては、収納体の側板部の扉側に吹出口が設けられている場合、確実に前側から熱風を被調理物に吹き付けることができ、収納体の底板部に吹出口が設けられている場合、熱風を被調理物の下部に吹き付けることができる。
【００５２】
本発明に係る加熱調理器（１３、１４）は前記熱風生成部は、前記加熱室の上壁（３４）の外側に設けてあり、前記上壁に前記吹出口（３４ａ）が設けられていることを特徴とする。
【００５３】
本発明においては、熱風生成部により生じた熱風は上壁に設けられた吹出口から吹き出し、上側から被調理物に吹き付けるとともに、収納体の両側板部と加熱室の両側壁との間を通流し、収納体の側板部の扉側に、又は収納体の底板部に設けられた吹出口を通って、被調理物の下部に吹き付ける。
従って、簡単な構造で熱風を整流することができ、被調理物の下部の直接の加熱が可能となり、均一に被調理物を加熱することができ、熱風が効率良く被調理物に当てられ、加熱調理効率が良好である。
【００５４】
今回開示した上述の実施の形態は、全ての点で例示であって、制限的なものではないと考えられるべきである。本発明の範囲は、特許請求の範囲内での全ての変更及び特許請求の範囲と均等の範囲が含まれることが意図される。
例えば、前記実施の形態１〜５においては、加熱調理器としてオーブンレンジ１、１１、１２、１３、１４を適用した場合につき説明しているがこれに限定されるものではなく、マイクロ波照射部７を有しないものであってもよい。この場合、吹出口を電磁波が出ないような大きさにする必要がないので、大きくすることができる。
また、載置台５５を回転テーブルにしてもよい。
【符号の説明】
【００５５】
１、１１、１２、１３、１４  オーブンレンジ
２  調理器本体
２１  パネル部
３  加熱室
３１  後壁
３１ａ、３１ｂ、３４ａ、５１ａ、５３ａ  吹出口
３２  側壁
３３  底壁
３４  上壁
３５  案内部
４  扉部
４１  把手
５  内箱部
５１  側板部
５２  背板部
５３  底板部
５４  導入板部
５８  案内板部
１０  収納体
７  マイクロ波照射部
８  熱風生成部
８１  ヒータ
８２  送風ファン
【図１】
2016050699.tif 000003
【図２】
2016050699.tif 000004
【図３】
2016050699.tif 000005
【図４】
2016050699.tif 000006
【図５】
2016050699.tif 000007
【図６】
2016050699.tif 000008
【図７】
2016050699.tif 000009
【図８】
2016050699.tif 000010